(57)【要約】      （修正有）【課題】突合せ継ぎ手の開先角度を最大内角６５度までと、Ｔ継ぎ手の開先角度最小内角２５度までと、溶接仕口部の角度を最大内角１１０度までと、最小内角７０度までとを測定可能とする溶接用開先角度ゲージを提供する。【解決手段】基準ゲージプレートａと指標ゲージプレートｂとからなる基準ゲージプレートａは、左側方に左測定部１を、左測定部１の上方端部に鈍角状上方左測定部２を夫々形成し、内側にガイド孔３と、ガイド孔３の上面と下面に角度目盛４を形成し、指標ゲージプレートｂの右側方に右測定部５を、右測定部５の上方端部に鈍角状上方右測定部６を形成する。基準ゲージプレートａの上方に指標ゲージプレートｂを重合し、ゲージプレートａ、ｂの下方先端部７、８に連結ピン９を枢着し、ガイド孔３にゲージ角調整機構ｃのつまみ１１付きねじ軸を貫通しナットを螺着し両ゲージプレートａ、ｂをスライド自在に組立てる。【選択図】図１
0003172185.tif 000002
【実用新案登録請求の範囲】
【請求項１】
基準ゲージプレートａと指標ゲージプレートｂとからなる溶接用開先角度ゲージにおいて、
前記基準ゲージプレートａは、左側方に左測定部１を、前記左測定部１の上方端部に鈍角状上方左測定部２を夫々形成し、且内側にガイド孔３と、前記ガイド孔３の上面及び下面に角度目盛４を形成し、前記指標ゲージプレートｂの右側方に右測定部５を、前記右測定部５の上方端部に鈍角状上方右測定部６を形成すると共に、前記基準ゲージプレートａの上方に前記指標ゲージプレートｂを重合し、前記両ゲージプレートａ、ｂの下方先端部７、８に連結ピン９を枢着し、前記ガイド孔３にゲージ角調整機構ｃのつまみ１１付きねじ軸１０を貫通しナット１２を螺着し両ゲージプレートａ、ｂをスライド自在に組立てることを特徴とする溶接用開先角度ゲージ。
【請求項２】
前記鈍角状上方左測定部２と、前記鈍角状上方右測定部６が同角度であることを特徴とする請求項１記載の溶接用開先角度ゲージ。
【請求項３】
前記指標ゲージプレートｂの左側辺部１５に、前記角度目盛４を見易くするための切欠部１６を形成することを特徴とする請求項１又は同２に記載の溶接用開先角度ゲージ。
【請求項４】
前記鈍角状上方左測定部２と、前記鈍角状上方右測定部６と、前記切欠部１６の周辺に目盛指示部１７を形成せしめることを特徴とする請求項１又は同２又は同３に記載の溶接用開先角度ゲージ。
【考案の詳細な説明】
【技術分野】
【０００１】
本考案は、溶接用開先角度ゲージの分野に関するものである。
【背景技術】
【０００２】
従来、溶接用開先角度測定ゲージとして、実用新案登録第３１４９６７４号登録実用新案公報が開示されている。
【０００３】
この公報に掲載されている溶接用開先角度測定ゲージは、Ａ板とＢ板との開先角度が２５度〜５０度の角度しか測定できないもので、もっと広角度である１１０度までの開先角度は測定できない構成である。
【０００４】
さらに、開先角度ゲージとして特開平１１−２６４７０３公開特許公報が開示されている。
【０００５】
この公開特許公報に開示されている開先角度ゲージは、９０度までの角度しか測定することができず、広角度の１１０度までの開先角度は測定できない構造である。
【先行技術文献】
【特許文献】
【０００６】
【特許文献１】実用新案登録第３１４９６７４号登録実用新案公報
【特許文献２】特開平１１−２６４７０３公開特許公報
【考案の概要】
【考案が解決しようとする課題】
【０００７】
本考案は、突合せ継ぎ手の開先角度を最大内角６５度までと、Ｔ継ぎ手の開先角度最小内角２５度までと、溶接仕口部の角度を最大内角１１０度までと、溶接仕口部の角度が最小内角７０度までとを測定可能としたものである。
【課題を解決するための手段】
【０００８】
上記課題を解決するための手段としての請求項１記載の考案は、基準ゲージプレートａと指標ゲージプレートｂとからなる溶接用開先角度ゲージにおいて、
前記基準ゲージプレートａは、左側方に左測定部１を、前記左測定部１の上方端部に鈍角状上方左測定部２を夫々形成し、且内側にガイド孔３と、前記ガイド孔３の上面及び下面に角度目盛４を形成し、前記指標ゲージプレートｂの右側方に右測定部５を、前記右測定部５の上方端部に鈍角状上方右測定部６を形成すると共に、前記基準ゲージプレートａの上方に前記指標ゲージプレートｂを重合し、前記両ゲージプレートａ、ｂの下方先端部７、８に連結ピン９を枢着し、前記ガイド孔３にゲージ角調整機構ｃのつまみ１１付きねじ軸１０を貫通しナット１２を螺着し両ゲージプレートａ、ｂをスライド自在に組立てることを特徴とする溶接用開先角度ゲージである。
【０００９】
上記課題を解決するための手段としての請求項２記載の考案は、前記鈍角状上方左測定部２と、前記鈍角状上方右測定部６が同角度であることを特徴とする請求項１記載の溶接用開先角度ゲージである。
【００１０】
上記課題を解決するための手段としての請求項３記載の考案は、前記指標ゲージプレートｂの左側辺部１５に、前記角度目盛４を見易くするための切欠部１６を形成することを特徴とする請求項１又は同２に記載の溶接用開先角度ゲージである。
【００１１】
上記課題を解決するための手段としての請求項４記載の考案は、前記鈍角状上方左測定部２と、前記鈍角状上方右測定部６と、前記切欠部１６の周辺に目盛指示部１７を形成せしめることを特徴とする請求項１又は同２又は同３に記載の溶接用開先角度ゲージである。
【考案の効果】
【００１２】
請求項１記載の考案は、基準ゲージプレートａと指標ゲージプレートｂとからなる溶接用開先角度ゲージにおいて、
前記基準ゲージプレートａは、左側方に左測定部１を、前記左測定部１の上方端部に鈍角状上方左測定部２を夫々形成し、且内側にガイド孔３と、前記ガイド孔３の上面及び下面に角度目盛４を形成し、前記指標ゲージプレートｂの右側方に右測定部５を、前記右測定部５の上方端部に鈍角状上方右測定部６を形成すると共に、前記基準ゲージプレートａの上方に前記指標ゲージプレートｂを重合し、前記両ゲージプレートａ、ｂの下方先端部７、８に連結ピン９を枢着し、前記ガイド孔３にゲージ角調整機構ｃのつまみ１１付きねじ軸１０を貫通しナット１２を螺着し両ゲージプレートａ、ｂをスライド自在に組立てる溶接用開先角度ゲージなので、開先角度を最小内角度２５度から最大内角６０度までを読み取ることができると共に、さらに溶接仕口部の最小内角７０度から最大内角１１０度までを読み取ることができる利点がある。
【００１３】
請求項２記載の考案は、前記鈍角状上方左測定部２と、前記鈍角状上方右測定部６が同角度である溶接用開先角度ゲージなので、請求項１に記載の考案と同じ効果を有している。
【００１４】
さらに本考案は、溶接仕口部最小内角度７０度から最大内角度１１０度までをも簡単且迅速に測定できる利点を有している。
【００１５】
請求項３記載の考案は、前記指標ゲージプレートｂの左側辺部１５に、前記角度目盛４を見易くするための切欠部１６を形成する溶接用開先角度ゲージなので、前記請求項１に記載の考案と同じ効果を有している。
【００１６】
さらに、本考案は、開先角度の測定目盛を簡単且迅速に測定できる利点がある。
【００１７】
請求項４記載の考案は、前記鈍角状上方左測定部２と、前記鈍角状上方右測定部６と、前記切欠部１６の周辺に目盛指示部１７を形成せしめる溶接用開先角度ゲージなので、請求項１に記載の考案と同じ効果を有している。
【００１８】
さらに、本考案は開先角度の測定目盛を極めて容易に測定できる利点を有している。
【図面の簡単な説明】
【００１９】
【図１】本考案溶接用開先角度ゲージの正面図である。
【００２０】
【図２】同溶接用開先角度ゲージの開先角度（６５度）の使用状態を示す正面図である。
【００２１】
【図３】同溶接用開先角度ゲージの開先角度（２５度）の使用状態を示す正面図である。
【００２２】
【図４】同溶接用開先角度ゲージの仕口部の最大内角（１１０度）を示す正面図である。
【００２３】
【図５】同溶接用開先角度ゲージの仕口部の最小内角（７０度）を示す正面図である。
【００２４】
【図６】同溶接用開先角度ゲージの背面図である。
【考案を実施するための最良の形態】
【００２５】
請求項１〜４に記載の考案の実施の形態は共通しているので、以下のとおり一括して説明する。
【００２６】
ａは本考案溶接用開先角度ゲージを構成する一方の基準ゲージプレートａであり、ｂは他方の指標ゲージプレートである。
【００２７】
前記基準ゲージプレートａは、左側方に直線状の左測定部１を形成する。さらに前記左測定部１の上方端部に鈍角状に折曲して形成する上方左測定部２を形成する。そして、前記ゲージプレートａの内側にガイド孔３を稍湾曲状に形成する。
【００２８】
また、前記ガイド孔３の上面及び下面には、角度目盛４を形成する。そして、前記角度目盛４は、前記ガイド孔３の下方部に右側に７０度を、左側に１１０度の目盛を順次図面図示のように刻んでやる。
【００２９】
さらに、前記ガイド孔３の上方部に、右側に６５度を、左側に２５度の目盛を図面図示のように順次刻んでやる。
【００３０】
さらに、前記指標ゲージプレートｂは以下の構成からなっている。
【００３１】
このプレートｂは、右側方に直線状の右測定部５を形成する。そして前記右測定部５の上方端部に鈍角状上方右測定部６を形成する。
【００３２】
また、両ゲージプレートａ、ａを組み立てるには、前記基準ゲージプレートａの上方に、前記指標ゲージプレートｂを重合し、前記両ゲージプレートａ、ｂの下方先端部７、８に連結ピン９を枢着すると共に、前記ガイド孔３にゲージ角調整機構ｃのつまみ１１付きねじ軸１０を貫通し、前記基準ゲージプレートａの裏面に飛出したねじ軸１０にナット１２を螺着する。
【００３３】
以上によって両ゲージプレートａ、ｂは、スライド自在に組立てられる。
【００３４】
なお、前記鈍角状上方左測定部２と、前記鈍角状上方右測定部６は、が同角度である。
【００３５】
さらに、前記指標ゲージプレートｂの左側辺部１５に、前記角度目盛４を見易くするための切欠部１６を形成する。
【００３６】
また、前記鈍角状上方左測定部２と、前記鈍角状上方右測定部６と、前記切欠部１６の周辺に三角状の目盛指示部１７を形成する。
【００３７】
前記ゲージ角調整機構ｃにつき説明する。
【００３８】
この機構ｃは、つまみ１１付きねじ軸１０が前記ガイド孔３を貫通し、前記指標ゲージプレートｂの裏面に前記ねじ軸１０が飛出する。
【００３９】
そして、前記ねじ軸１０にナット１２を螺着する。
【００４０】
前記ねじ軸１０に、ワッシャー１３及び板バネ１４が、前記基準ゲージプレートａの表面部に嵌挿し、前記指標ゲージプレートｂの裏面にワッシャー１３が嵌挿し組立てたれている。
【００４１】
本考案溶接用開先角度ゲージの使用例その１につき説明すると以下のとおりである。
【００４２】
すなわち、突合せ継ぎ手の開先角度（最大内角６５度）の場合は、図２のようにして行うものである。
【００４３】
さらに、前記ゲージの使用例の２として、最小内角が２５度の場合は、図３のようにして測定する。
【００４４】
また、溶接仕口部の最大内角１１０度の場合は、図４のようにして測定する。
【００４５】
さらに、溶接仕口部の最小内角７０度の場合は、図５のようにして測定する。
【符号の説明】
【００４６】
ａ      基準ゲージプレート
ｂ      指標ゲージプレート
ｃ      ゲージ角調整機構
１      左測定部
２      上方左測定部
３      ガイド孔
４      角度目盛
５      右測定部
６      上方右測定部
７      先端部
８      先端部
９      連結ピン
１０    ねじ軸
１１    つまみ
１２    ナット
１３    ワッシャー
１４    板バネ
１５    左側辺部
１６    切欠部
１７    切欠部
１８    継ぎ手
【図１】
0003172185.tif 000003
【図２】
0003172185.tif 000004
【図３】
0003172185.tif 000005
【図４】
0003172185.tif 000006
【図５】
0003172185.tif 000007
【図６】
0003172185.tif 000008